(57)【要約】【課題】キッチンにおける作業の利便性や効率を向上させることができるキッチン用キャビネット、及び、対面式システムキッチンを提供する。【解決手段】本発明のキャビネット１は、対面式システムキッチン２のカウンター１０の背面側且つ上側に少なくとも一部が設けられた収納部Ｃ２と、この収納部内で前後方向に摺動可能に収納され、物を収納する前側容器部Ａ１及び後側容器部Ａ２を形成する引出し部２６と、収納部内に収納された状態の引出し部を収納部外の所定位置まで前後方向に摺動させる摺動機構部２８（２８ａ，２８ｂ）と、を有し、引出し部は、収納部外に引き出されとき、前側底面部２６ｃがカウンターの上面１０ｃから所定高さだけ上方に離間して配置されるように構成されていることを特徴とする。【選択図】図１
2010154946.tif 000002
【特許請求の範囲】
【請求項１】
対面式システムキッチンに組み込まれたキッチン用キャビネットであって、
対面式システムキッチンのカウンターの後方側且つ上側に少なくとも一部が設けられた収納部と、
この収納部内で前後方向に摺動可能に収納され、物を収納する容器部を形成する引出し部と、
上記収納部内に収納された状態の引出し部を上記収納部外の所定位置まで前後方向に摺動させる摺動機構部と、を有し、
上記引出し部は、上記収納部外に引き出した部分の底面部が上記カウンターの上面から所定高さだけ上方に離間して配置されるように構成されていることを特徴とするキッチン用キャビネット。
【請求項２】
上記引出し部は、上記収納部外に引き出し可能であると共に上記引出し部内の前側容器部を形成する前側底面部と、この前側底面部の後方下側に設けられ上記引出し部内の後側容器部を形成する後側底面部と、上記前側底面部の後端部から上記後側底面部の前端部にかけて上下方向に延びる段部と、を備えている請求項１記載のキッチン用キャビネット。
【請求項３】
上記収納部は、その背面側の壁面を形成すると共に上記収納部の背面側を開放可能に設けられた背面側壁面部を備えている請求項１又は２に記載のキッチン用キャビネット。
【請求項４】
上記引出し部は、上記収納部外に引き出した状態では、その前端部が上記カウンターの前縁部からその後方側に向かって２８ｃｍ〜５４ｃｍの引き出し位置まで引き出し可能に構成されている請求項１乃至３の何れか１項に記載のキッチン用キャビネット。
【請求項５】
上記引出し部は、上記収納部外に引き出した部分の底面部が上記カウンターの上面から上方に向かって２ｃｍ〜２０ｃｍの高さ位置に配置されるように構成されている請求項１乃至４の何れか１項に記載のキッチン用キャビネット。
【請求項６】
請求項１乃至５の何れか１項に記載のキッチン用キャビネットを備えたことを特徴とする対面式システムキッチン。
【発明の詳細な説明】
【技術分野】
【０００１】
本発明は、キッチン用キャビネット、及び、対面式システムキッチンに係り、特に、対面式システムキッチンに組み込まれたキッチン用キャビネット、及び、このキッチン用キャビネットを備えた対面式システムキッチンに関する。
【背景技術】
【０００２】
近年、住居形態のニーズや生活シーンの変化に伴い、キッチンの周囲スペースを開放的にし、キッチンに隣接する居室空間との一体化を実現させる、いわゆる、「対面式システムキッチン」のニーズが高まっている。
今日まで実用化されている従来の対面式システムキッチンにおいては、キッチンでの作業の利便性や効率化を重視し、キッチンの作業者のアイレベル（目線高さ）に収納場所を設ける等の工夫がなされている。
例えば、特許文献１に記載されている従来の対面式システムキッチンにおいては、その流し台と居室空間との間に設けられているカウンターキャビネット自体に水切り収納機能を持たせることにより、カウンターキャビネットのデッドスペースを削減し、流し台回りの洗い物の収納性を向上させる水切りキャビネットを備えたものが知られている。
【０００３】
【特許文献１】特開平１１−４６８９３号公報
【発明の開示】
【発明が解決しようとする課題】
【０００４】
しかしながら、上述した従来の対面式システムキッチンにおいては、水切りキャビネットが、流し台の上面を形成するカウンターの後方側に設けられているため、使用者が水切りキャビネットから物を出し入れするために水切りキャビネットにアクセスする際、カウンターの奥行き幅の寸法分だけ腕を伸ばしたり、前傾姿勢を余儀なくされ、使い勝手がよくないという問題がある。
また、使用者がカウンター上で調理作業等を行う都合を考慮し、上述した水切りキャビネットの代わりに、調味料等の小物類を収納できるようなキャビネットとして利用することも考えられるが、特に、小物の調味料等は背が低く、キャビネットからも取り出しにくい物であるため、上述した問題が解決できなければ、使い勝手がよくない。
【０００５】
そこで、本発明は、上述した従来技術の問題を解決するためになされたものであり、キッチンにおける作業の利便性や効率を向上させることができるキッチン用キャビネット、及び、対面式システムキッチンを提供することを目的としている。
【課題を解決するための手段】
【０００６】
上記の目的を達成するために、本発明は、対面式システムキッチンに組み込まれたキッチン用キャビネットであって、対面式システムキッチンのカウンターの後方側且つ上側に少なくとも一部が設けられた収納部と、この収納部内で前後方向に摺動可能に収納され、物を収納する容器部を形成する引出し部と、上記収納部内に収納された状態の引出し部を上記収納部外の所定位置まで前後方向に摺動させる摺動機構部と、を有し、上記引出し部は、上記収納部外に引き出した部分の底面部が上記カウンターの上面から所定高さだけ上方に離間して配置されるように構成されていることを特徴としている。
このように構成された本発明においては、引出し部を収納部外に引き出した際、その引き出した部分の底面部がカウンターの上面から所定高さだけ上方に離間して配置されるため、カウンター上に物を置いたままであっても、その物の高さがカウンターの上面から引出し部の底面部までの所定高さよりも低いもの（例えば、まな板や包丁等の調理道具）であれば、引出し部をカウンター上の物に接触させることなく引き出すことができる。この結果、カウンター上に物を置いたままの状態であっても引出し部に収納された収納物を容易に出し入れすることができ、カウンター上で作業がしやすく、キッチンにおける作業の利便性や効率を向上させることができる。
【０００７】
本発明において、好ましくは、引出し部は、収納部外に引き出し可能であると共に引出し部内の前側容器部を形成する前側底面部と、この前側底面部の後方下側に設けられ引出し部内の後側容器部を形成する後側底面部と、前側底面部の後端部から後側底面部の前端部にかけて上下方向に延びる段部と、を備えている。
このように構成された本発明においては、引出し部の後側底面部が前側底面部よりも下側に位置することにより、引出し部内の後側容器部の深さが前側容器部の深さよりも深くなるため、引出し部に物を収納する際、収納物の背の大きさに応じて、例えば、比較的背の低い収納物については前側容器部内に収納し、比較的背の高い収納物については後側容器部内に収納することができる。この結果、収納物を引出し部内に整然と収納することができ、かつ取り出しやすく、キッチンにおける作業の利便性や効率を向上させることができる。
【０００８】
本発明において、好ましくは、収納部は、その背面側の壁面を形成すると共に上記収納部の背面側を開放可能に設けられた背面側壁面部を備えている。
このように構成された本発明においては、収納部の背面側壁面部を開放することにより、収納部の背面側が開放されるため、収納部内に収納された収納物を収納部の背面側からも取り出すことができるため、使い勝手がよい。
【０００９】
本発明において、好ましくは、引出し部は、収納部外に引き出した状態では、その前端部が上記カウンターの前縁部からその後方側に向かって２８ｃｍ〜５４ｃｍの引き出し位置まで引き出し可能に構成されている。
このように構成された本発明においては、カウンター上で作業する際、引出し部を収納部外に所定の引き出し位置まで引き出した状態でも、引出し部が作業の妨げにならず、かつ、引出し部内の収納物も取り出しやすく、キッチンにおける作業の利便性や効率を向上させることができる。
【００１０】
本発明において、好ましくは、引出し部は、収納部外に引き出した部分の底面部が上記カウンターの上面から上方に向かって２ｃｍ〜２０ｃｍの高さ位置に配置されるように構成されている。
このように構成された本発明においては、引出し部をカウンター上の物（例えば、まな板や包丁等の調理道具）に接触させることなく引き出すことができる。この結果、カウンター上に物を置いたままの状態であっても引出し部に収納された収納物を容易に出し入れすることができ、キッチンにおける作業の利便性や効率を向上させることができる。
【００１１】
また、本発明は、上記キッチン用キャビネットを備えたことを特徴とする対面式システムキッチンである。
このように構成された本発明においては、カウンター上に物を置いたままの状態であってもキッチン用キャビネットの引出し部に収納された収納物を容易に出し入れすることができ、カウンター上で作業がしやすく、キッチンにおける作業の利便性や効率を向上させることができる。
【発明の効果】
【００１２】
本発明のキッチン用キャビネット及び対面式システムキッチンによれば、キッチンにおける作業の利便性や効率を向上させることができる。
【発明を実施するための最良の形態】
【００１３】
以下、添付図面を参照して、本発明のキッチン用キャビネット及び対面式システムキッチンの実施形態について説明する。
まず、図１は本発明の第１実施形態によるキッチン用キャビネット、及び、これを備えた対面式システムキッチンを斜め正面側から見た概略斜視図であり、図２は本発明の第１実施形態によるキッチン用キャビネット、及び、これを備えた対面式システムキッチンを斜め背面側から見た概略斜視図である。
つぎに、図３は、図１又は図２のIII−III断面図であり、本発明の第１実施形態によるキッチン用キャビネットの引出し部を引き出した状態を破線で示している。
また、図４は、本発明の第１実施形態によるキッチン用キャビネットの引出し部を引き出した状態を斜め上方から見た拡大斜視図である。
さらに、図５は図３のＶ−Ｖ断面図であり、図６は図５に示すキッチン用キャビネットの引出し部を引き出した状態を示す断面図である。
【００１４】
まず、図１〜図３に示すように、本発明の第１実施形態によるキッチン用キャビネット１が組み込まれた対面式システムキッチン２は、流し台４、加熱調理器６、換気装置として機能するレンジフード８、カウンター１０、及び、サブカウンター１２を備えている。
【００１５】
カウンター１０は、流し台４の上面４ａから加熱調理器具６にかけて水平面状に延びて調理台を形成しており、まな板や皿或いは包丁、ボウル等の調理道具１４をカウンター１０上に置いて調理作業等ができるようになっている。
【００１６】
サブカウンター１２は、カウンター１０よりも後方側且つ上側に突出して設けられている。このサブカウンター１２の上端部を形成する上側パネル１２ａは、レンジフード８の高さよりも低い位置に設定されており、このサブカウンター１２よりも前側のルームスペースはキッチンルームＫとなり、サブカウンター１２よりも後側のルームスペースはリビングルームＬとなっており、サブカウンター１２の上側パネル１２ａよりも上方の空間が、キッチンルームＫとリビングルームＬとの開放的な空間を形成されている。
【００１７】
また、図１及び図３〜図６に示すように、サブカウンター１２は、その背面側に設けられた背面側パネル（背面側壁面部）１６と共に、ほぼ直方体形状の収納部Ｃを形成している。この収納部Ｃは、上下方向に延びる仕切用のセンターパネル１８ａによって、流し台側収納部Ｃ１と調理台側収納部Ｃ２とに二分されている。
【００１８】
流し台側収納部Ｃ１は、流し台回りの洗い物（食器）や洗剤容器等の収納物２０を収納するスペースを形成しており、その底部には格子状の水切り部材２２が設けられ、洗い物（食器）を置くことができるようになっている。
【００１９】
調理台側収納部Ｃ２は、本実施形態のキッチン用キャビネット１の実質的な収納部となっている。
すなわち、本実施形態のキッチン用キャビネット１の収納部Ｃ２は、サブカウンター１２の上側パネル１２ａ、背面側パネル１６、流し台側収納部Ｃ１側のセンターパネル１８ａ、収納部Ｃ２とレンジフード８とを仕切るように上下方向に延びるレンジフード側のサイドパネル１８ｂによって形成されている。そして、カウンター１０上で調理作業等を行う際に使用する調味料等を収容した比較的背の低い小型容器２４ａや、これらの小型容器２４ａよりも比較的背の高い中型容器２４ｂを収納することができるスペースを形成している。
【００２０】
さらに、図１及び図３〜図６に示すように、本実施形態のキッチン用キャビネット１は、収納部Ｃ２内で前後方向に摺動可能に収納され、物を収納する容器部Ａを形成する引出し部２６（詳細は後述する）を備えている。
【００２１】
また、本実施形態のキッチン用キャビネット１は、収納部Ｃ２及び引出し部２６に設けられ、収納部Ｃ２内に収納された状態の引出し部２６を収納部外に所定長さ引き出した状態まで前後方向に摺動させる摺動機構部２８を備えている。
【００２２】
摺動機構部２８は、収納部Ｃ２のセンターパネル１８ａとサイドパネル１８ｂのそれぞれに設けられて前後方向に延びる一対のレール部材２８ａ，２８ｂと、これらレール部材２８ａ，２８ｂに対向する引出し部２６の両側部２６ａ，２６ｂのそれぞれの側面上に設けられたローラ部材（図示せず）とを含み、このローラ部材（図示せず）がレール部材２８ａ，２８ｂに沿って回転することにより、引出し部２６が収納部Ｃ２内で前後方向に摺動することができるようになっている。
【００２３】
つぎに、上述した本実施形態によるキッチン用キャビネット１の引出し部２６の詳細について説明する。
図５及び図６に示すように、引出し部２６は、収納部Ｃ２外に引き出し可能であると共に引出し部２６内の前側容器部Ａ１を形成する前側底面部２６ｃと、この前側底面部２６ｃの後方下側に設けられ引出し部２６内の後側容器部Ａ２を形成する後側底面部２６ｄと、前側底面部２６ｃの後端部から後側底面部２６ｄの前端部にかけて上下方向に延びる壁面を形成する段部２６ｅとを備えている。引出し部２６を収納部Ｃ２外に引き出した際、この段部２６ｅがカウンター１０の後縁部１０ａに当接することにより、引出し部２６が摺動して引き出される範囲が規制されるようになっている。
【００２４】
また、この引出し部２６の段部２６ｅにより、引出し部２６内に深さが異なる二種類の容器部Ａ１，Ａ２が形成されていることにより、引出し部２６内に物を収納する際、収納物の背の大きさに応じて、例えば、調味料等を収容した比較的背の低い収納物（小型容器２４ａ）等については前側容器部Ａ１内に収納し、比較的背の高い収納物（中型容器２４ｂ）等については後側容器部Ａ２内に収納するようになっている。
【００２５】
さらに、図３、図４、及び、図６に示すように、引出し部２６は、収納部Ｃ２外に引き出した状態では、その前端部２６ｆがカウンター１０の前縁部１０ｂからその後方側に向かって前後方向に所定距離ｄの引き出し位置まで引き出し可能になっている。
ここで、一般的に主流となっている標準的な対面式システムキッチンにおいては、カウンター１０の前縁部１０ｂから後縁部１０ａまでの標準的な奥行き寸法Ｄは、約６５０ｍｍ程度が主流となっている。そこで、本実施形態のキッチン用キャビネット１をこの標準的な対面式システムキッチンに適用した場合には、カウンター１０の前縁部１０ｂから引出し部２６の前端部２６ｆの引き出し位置までの距離ｄの範囲は、２８ｃｍ〜５４ｃｍに設定することが好ましく、２８ｃｍ〜４０ｃｍに設定することが最も好ましい。
【００２６】
特に、上述した距離ｄの範囲の上限値（５４ｃｍ）については、一般的な日本人の人体計測データ（例えば、社団法人人間生活工学研究センター（ＨＱＬ）監修による「Japanese body size data 1992-1994」参照）に基づいて人体工学的に定められた一般的な壮年女性が立位で楽に手が届く範囲（リーチ範囲）を目安として定めたものである。より具体的には、この距離ｄの範囲の上限値（５４ｃｍ）は、中程度の体格の女性（５０パーセンタイル、身長１５４ｃｍ、上肢長６５ｃｍ、腹部厚径２３ｃｍ）が、カウンター１０に正対し、カウンター１０の前縁部１０ｂに腹部を当接させた状態でアプローチ可能なカウンター１０の前縁部１０ｂからの限界の奥行きに基づいて定めたものであり、この上限値を超えると、上体を屈曲するか、上体をひねって肩を前に出さないと引出し部２６の前端部２６ｆまで届かない。
【００２７】
さらに、最も好ましい距離ｄの範囲の上限値（４０ｃｍ）については、小柄な女性（５パーセンタイル、身長１４６ｃｍ、上肢長６０ｃｍ、腹部厚径１９ｃｍ）が、カウンター１０の前縁部１０ｂに腹部を当接させた状態で楽にアプローチできるカウンター１０の前縁部１０ｂからの奥行きに基づいて定めたものである。
【００２８】
また、距離ｄの範囲の下限値については、標準的な長方形のまな板で短手方向の平均幅が約２３０ｍｍのものをカウンター１０の前縁部１０ｂから約５０ｍｍ奥側に後退させたカウンター１０の上面１０ｃの位置に配置して作業をすることを想定し、引出し部２６の前端部２６ｆが作業の妨げとならないことを目安として定めたものである。
【００２９】
また、図６に示すように、収納部Ｃ２外に引き出した状態の引出し部２６の前側底面部２６ｃは、カウンター１０の上面１０ｃから上方に向かって高さｈの位置に配置されるようになっており、引出し部２６を収納部Ｃ２外に引き出した際、カウンター１０上に配置されたまな板や皿或いは包丁、ボウル等の調理道具１４に接触させることなく引き出すことができるようになっている。
ここで、厚み又は高さが２ｃｍ未満のまな板や包丁、ボウル等の調理道具１４をカウンター１０の上面１０ｃに配置して作業を行うことを想定すると共に、収納部Ｃ２内に収納すべき市販の調味料等の容器の高さ寸法を考慮し、カウンター１０の上面１０ｃからの引出し部２６の前側底面部２６ｃの高さｈについては、２ｃｍ〜２０ｃｍに設定することが好ましく、５ｃｍ〜１２ｃｍに設定することが最も好ましい。
【００３０】
また、引出し部２６の前側底面部２６ｃの高さｈの範囲の下限値（２ｃｍ）については、本出願人らの調査によるまな板の厚みの統計における最頻値（１ｃｍ）にクリアランス１ｃｍを加算することによって定めたものであり、最も好ましい高さｈの範囲の下限値（５ｃｍ）については、厚み１ｃｍのまな板上に４ｃｍ未満の高さ程度の若干の食材が載った状態を想定して定めたものである。
一方、引出し部２６の前側底面部２６ｃの高さｈの範囲の上限値（２０ｃｍ）については、引出し部２６の前側底面部２６ｃの下方にボウル等の調理道具をもぐり込ませた状態を想定して定めたものであり、本出願人らの調査によるボウルの高さの統計における最大値（１７ｃｍ）にクリアランス３ｃｍを加算することによって定めたものである。また、最も好ましい高さｈの範囲の上限値（１２ｃｍ）については、本出願人らの調査によるボウル高さの統計における最頻値（１０ｃｍ）にクリアランス２ｃｍを加算することによって定めたものである。
【００３１】
つぎに、上述した本発明の第１実施形態によるキッチン用キャビネットの動作（作用）について説明する。
対面式システムキッチン２の使用者がカウンター１０の上面１０ｃにまな板や皿或いは包丁、ボウル等の調理道具１４を置いて調理等の作業する際、作業をしながら必要に応じてキッチン用キャビネット１の収納部Ｃ２から引出し部２６を水平方向前方に摺動させて引き出し、引出し部２６の前側容器部Ａ１内に収納されている比較的背の低い収納物（小型容器２４ａ）や引出し部２６の後側容器部Ａ２内に収納されている比較的背の高い収納物（中型容器２４ｂ）を出し入れする。
【００３２】
キッチン用キャビネット１の収納部Ｃ２から最も引き出された状態の引出し部２６においては、引出し部２６の前側底面部２６ｃがカウンター１０の上面１０ｃから上方に向かって高さｈの位置に配置されると共に、引出し部２６の前側容器部Ａ１の上方が開放され、引出し部２６の後側容器部Ａ２が収納部Ｃ２内に残されたままの状態となる（図３、図４、及び、図６参照）。
【００３３】
また、引出し部２６がキッチン用キャビネット１の収納部Ｃ２から引き出された状態においては、引出し部２６の前端部２６ｆ及び前側底面部２６ｃがカウンター上面１０ｃ上に置かれているまな板や皿或いは包丁、ボウル等の調理道具１４に接触したりすることはなく、カウンター１０における作業上の妨げになることもない。
【００３４】
上述した本発明の第１実施形態によるキッチン用キャビネット１、及び、これを備えた対面式システムキッチン２によれば、引出し部２６を収納部Ｃ２外に引き出した際、その前側底面部２６ｃがカウンター１０の上面１０ｃから所定距離上方に離間して配置されるため、カウンター１０の上面１０ｃ上にまな板や皿或いは包丁等の調理道具１４を置いたままであっても、その調理道具１４の高さがカウンター１０の上面１０ｃから引出し部２６の前側底面部２６ｃまでの間隔（高さｈ）よりも低いものであれば、カウンター１０上に置いた調理道具１４等に引出し部２６の前端部２６ｆ及び前側底面部２６ｃを接触させることなく、引出し部２６を容易に引き出すことができる。
この結果、カウンター１０上に物を置いたままの状態であっても、引出し部２６の前側容器部Ａ１内に収納されている比較的背の低い収納物（小型容器２４ａ）や引出し部２６の後側容器部Ａ２内に収納されている比較的背の高い収納物（中型容器２４ｂ）を容易に出し入れすることができ、カウンター１０上で作業がしやすく、対面式システムキッチン２における作業の利便性や効率を向上させることができる。
【００３５】
また、本実施形態によるキッチン用キャビネット１、及び、これを備えた対面式システムキッチン２によれば、引出し部２６の後側底面部２６ｄが前側底面部２６ｃよりも下側に位置することにより、引出し部２６内の後側容器部Ａ２の深さが前側容器部Ａ１の深さよりも深くなるため、引出し部２６に物を収納する際、収納物の背の大きさに応じて、例えば、比較的背の低い収納物（小型容器２４ａ）については前側容器部Ａ１内に収納し、比較的背の高い収納物（中型容器２４ｂ）については後側容器部Ａ２内に収納することができる。この結果、背の大きさの異なる収納物（小型容器２４ａや中型容器２４ｂ）を引出し部２６内に整然と収納することができ、かつ取り出しやすく、対面式システムキッチン２における作業の利便性や効率を向上させることができる。
【００３６】
さらに、本実施形態によるキッチン用キャビネット１、及び、これを備えた対面式システムキッチン２によれば、引出し部２６が収納部Ｃ２外に引き出された状態では、引出し部２６の前端部２６ｆがカウンター１０の前縁部１０ｂからその後縁部１０ｂに向かって前後方向に所定距離ｄの引き出し位置まで引き出し可能になっている。それゆえ、カウンター１０上で作業する際、引出し部２６を収納部Ｃ２外に所定の引き出し位置まで引き出した状態でも、引出し部２６が作業の妨げにならず、かつ、引出し部２６内の収納物を容易に取り出しやすくなるため、対面式システムキッチン２における作業の利便性や効率を向上させることができる。
【００３７】
つぎに、本発明の第２実施形態によるキッチン用キャビネット、及び、これを備えた対面式システムキッチンについて説明する。
図７は、本発明の第２実施形態によるキッチン用キャビネット、及び、これを備えた対面式システムキッチンを斜め背面側から見た概略斜視図である。ここで、図７において、第１実施形態によるキッチン用キャビネット、及び、これを備えた対面式システムキッチンの部分と同一の部分については同一の符号を付し、それらの説明は省略する。
【００３８】
図７に示すように、本発明の第２実施形態によるキッチン用キャビネット３０、及び、これを備えた対面式システムキッチン３２においては、収納部Ｃ（流し台側収納部Ｃ１及び調理台側収納部Ｃ２）の背面側パネル（背面側壁面部）３４が、背面側の壁面を形成する閉鎖位置（図７に「閉」で図示）から回動軸Ｏを中心に背面側にほぼ９０°回動する開放位置（図７に「開」で図示）まで回動することができる回動扉として機能するようになっている点で第１実施形態の構成と異なっている。
【００３９】
上述した本発明の第２実施形態によるキッチン用キャビネット３０、及び、これを備えた対面式システムキッチン３２によれば、収納部Ｃ（流し台側収納部Ｃ１及び調理台側収納部Ｃ２）の背面側パネル（背面側壁面部）３４を開放位置まで回動させることにより、収納部Ｃ（流し台側収納部Ｃ１及び調理台側収納部Ｃ２）の背面側が開放されるため、収納部Ｃ（流し台側収納部Ｃ１及び調理台側収納部Ｃ２）内に収納された収納物（小型容器２４ａや中型容器２４ｂ等）を収納部Ｃ（流し台側収納部Ｃ１及び調理台側収納部Ｃ２）の背面側（リビングルームＬ側）からも取り出すことができるため、使い勝手がよい。
【００４０】
なお、上述した本発明の第２実施形態によるキッチン用キャビネット３０、及び、これを備えた対面式システムキッチン３２においては、一例として、収納部Ｃ（流し台側収納部Ｃ１及び調理台側収納部Ｃ２）の背面側パネル（背面側壁面部）３４が回動扉として開閉できる形態について説明したが、このような形態に限定されず、調理台側収納部Ｃ２の背面側パネルのみを開閉可能にすることにより、調理台側収納部Ｃ２内に収納された収納物（小型容器２４ａや中型容器２４ｂ）のみを調理台側収納部Ｃ２の背面側（リビングルームＬ側）から取り出せるようにしてもよい。
【図面の簡単な説明】
【００４１】
【図１】本発明の第１実施形態によるキッチン用キャビネット、及び、これを備えた対面式システムキッチンを斜め正面側から見た概略斜視図である。
【図２】本発明の第１実施形態によるキッチン用キャビネット、及び、これを備えた対面式システムキッチンを斜め背面側から見た概略斜視図である。
【図３】図１又は図２のIII−III断面図である。
【図４】本発明の第１実施形態によるキッチン用キャビネットの引出し部を引き出した状態を斜め上方から見た拡大斜視図である。
【図５】図３のＶ−Ｖ断面図である。
【図６】図５に示すキッチン用キャビネットの引出し部を引き出した状態を示す断面図である。
【図７】本発明の第２実施形態によるキッチン用キャビネット、及び、これを備えた対面式システムキッチンを斜め背面側から見た概略斜視図である。
【符号の説明】
【００４２】
１，３０  キッチン用キャビネット
２，３２  対面式システムキッチン
４  流し台
４ａ  流し台の上面
６  加熱調理器
８  レンジフード
１０  カウンター
１０ａ  カウンターの後縁部
１０ｂ  カウンターの前縁部
１０ｃ  カウンターの上面
１２  サブカウンター
１２ａ  上側パネル
１４  調理道具
１６，３４  背面側パネル
１８ａ  センターパネル
１８ｂ  サイドパネル
２０  収納物
２２  水切り部材
２４ａ  小型容器
２４ｂ  中型容器
２６  引出し部
２６ａ，２６ｂ  引出し部の側部
２６ｃ  引出し部の前側底面部
２６ｄ  引出し部の後側底面部
２６ｅ  引出し部の段部
２６ｆ  引出し部の前端部
２８  摺動機構部
２８ａ，２８ｂ  レール部材
Ａ  容器部
Ａ１  前側容器部
Ａ２  後側容器部
Ｃ  収納部
Ｃ１  流し台側収納部
Ｃ２  調理台側収納部
Ｋ  キッチンルーム
Ｌ  リビングルーム
【図１】
2010154946.tif 000003
【図２】
2010154946.tif 000004
【図３】
2010154946.tif 000005
【図４】
2010154946.tif 000006
【図５】
2010154946.tif 000007
【図６】
2010154946.tif 000008
【図７】
2010154946.tif 000009